【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
１または複数の内壁部と前記１または複数の内壁部によって限定される開口部を有する注ぎ口用容器蓋であって、
使用時に開口部に位置する上端部、
使用時に前記開口部から離れた１または複数の内壁部内に位置する基部、及び
内側折り部及び外側折り部を有し、使用時に容器蓋を前記１または複数の内壁部の間の適所に保持し、かつ緩められることによって前記１または複数の内壁部から前記容器蓋が取り外せるようになる蛇腹形素子を備え、
前記基部が閉じられることを特徴とする容器蓋。
【請求項２】
前記注ぎ口がボトルネック部であることを特徴とする請求項１項記載の容器蓋。
【請求項３】
前記注ぎ口の断面が規則的であることを特徴とする請求項１項記載の容器蓋。
【請求項４】
前記１または複数の内壁部がうね状であるか、ねじ切り状であるか、あるいは滑らかであることを特徴とする請求項１項記載の容器蓋。
【請求項５】
容器蓋が使用位置で前記開口部を完全に密封することを特徴とする請求項１項記載の容器蓋。
【請求項６】
容器蓋が前記開口部及び周辺の１または複数の内壁部を密封することを特徴とする請求項５項記載の容器蓋。
【請求項７】
容器蓋が摩擦によって使用位置に保持されることを特徴とする請求項１項記載の容器蓋。
【請求項８】
前記外側折り部が容器蓋の使用時に前記注ぎ口の前記１または複数の内壁部に当接するようになっていることを特徴とする請求項１項記載の容器蓋。
【請求項９】
前記蛇腹形素子の内側折り部へ接するようになった潰し可能なコア部を備え、かつ容器蓋の使用時に前記外側折り部を前記注ぎ口の１または複数の内壁部に当接させることを特徴とする請求項８項記載の容器蓋。
【請求項１０】
前記コア部を膨らませることができることを特徴とする請求項９項記載の容器蓋。
【請求項１１】
閉じられた前記基部へ固定状態で前記上端部を保持するようになった手段を備えることを特徴とする請求項８項記載の容器蓋。
【請求項１２】
前記手段には前記上端部を前記閉じられた基部へ連結する張力コードが含まれていることを特徴とする請求項１１項記載の容器蓋。
【請求項１３】
前記蛇腹形素子の内側折り部の少なくともいくつかと接するようになった内側コア部が設けられ、かつ容器蓋の使用時に前記外側折り部を前記注ぎ口の１または複数の内壁部に当接させることを特徴とする請求項８項記載の容器蓋。
【請求項１４】
前記内側コア部がコルクから成ることを特徴とする請求項１３項記載の容器蓋。
【請求項１５】
遠隔操作作動手段によってロック解除されると容器蓋が前記１または複数の内壁部から取り外せるようになったロック手段によって前記容器蓋を使用位置に保持するように前記蛇腹形素子がなっていることを特徴とする請求項１項記載の容器蓋。
【請求項１６】
１または複数の中間内壁部を備え、前記蛇腹形素子の外側折り部が使用時に前記注ぎ口の１または複数の内壁部に当接するようになっている前記１または複数の中間内壁部を圧迫するようになっていることを特徴とする請求項１項記載の容器蓋。
【請求項１７】
前記蛇腹形素子が螺旋形状を呈する折り部を有することを特徴とする請求項１項または１６項記載の容器蓋。
【請求項１８】
前記蛇腹形素子が容器蓋へ取り付けられたコード、リボンあるいはフランジの操作によって緩められるようになっていることを特徴とする請求項１項または１６項記載の容器蓋。
【請求項１９】
前記ロック素子が磁界処理によって解除されるようになっていることを特徴とする請求項１５項記載の容器蓋。
【請求項２０】
容器蓋に近くの物質について少なくとも１つの特性を検知する手段が備えられていることを特徴とする請求項１項または１６項記載の容器蓋。
【請求項２１】
前記特性あるいは各特性が温度、圧力、化学組成物、ガスの存在あるいはガスの不存在から選択されることを特徴とする請求項２０項記載の容器蓋。
【請求項２２】
前記検知手段が温度センサ、圧力センサ及び化学薬品センサから選択されることを特徴とする請求項２０項記載の容器蓋。
【請求項２３】
容器蓋に光あるいは移動の検知手段が備えられていることを特徴とする請求項１項または１６項記載の容器蓋。
【請求項２４】
前記センサから受信した情報の表示手段が備えられている請求項２０項ないし２３項のいずれかに記載の容器蓋。
【請求項２５】
前記表示手段が光あるいは情報ディスプレーであることを特徴とする請求項２４項記載の容器蓋。
【請求項２６】
価格あるいは期限になお残存期間があることを示すディスプレーをさらに備えることを特徴とする請求項２０項ないし２５項のいずれかに記載の容器蓋。
【請求項２７】
前記ディスプレーが外部信号によって変化するようになっていることを特徴とする請求項２６項記載の容器蓋。
【請求項２８】
外部処理手段との相互交信、データ及び／または情報の受信・記憶及び伝達、容器蓋の１または２以上の内部及び／または外部ソースからのあるいはこれらソースへのデータ及び／または情報の受信及び／または送信、及び情報の記憶等の機能のうちの１または２以上を実行するようになった処理手段がさらに備えられていることを特徴とする請求項１項または１６項記載の容器蓋。
【請求項２９】
内容物の保蔵に適しかつ取り外すことにより内容物の分配が可能となる容器用の容器蓋であって、
密封位置にある時に容器からの内容物の流出を防止する密封手段と、
外部処理手段と相互交信でき、かつ前記密封手段が密封位置にある間内容物に関するデータ及び／または情報を受信・記憶及び伝達するようになっており、さらに容器蓋中あるいは容器蓋上に物理的に収容されて容器の内部及び／または外部ソースの１または２以上からのあるいはそれらソースへのデータ及び／または情報の受信及び送信を行うようになった処理手段を備えることを特徴とする前記容器蓋。
【請求項３０】
前記内容物が飲料、食料品、医薬品及び粉末状・液状及び／またはガス状の１または２以上の化学薬品から選択されることを特徴とする請求項２９項記載の容器蓋。
【請求項３１】
プラグ、キャップあるいは膜状シールの形状をとることを特徴とする請求項２９項記載の容器蓋。
【請求項３２】
不正操作明示手段あるいは安全手段を備えることを特徴とする請求項２９項記載の容器蓋。
【請求項３３】
不正なアクセスを阻止する安全手段あるいはロック手段が備えられていることを特徴とする請求項２９項記載の容器蓋。
【請求項３４】
前記密封手段が暗号化された信号を受信すると取り外し可能状態となることを特徴とする請求項２９項記載の容器蓋。
【請求項３５】
前記処理手段にコンピューター処理手段が含まれることを特徴とする請求項２９項記載の容器蓋。
【請求項３６】
前記処理手段が外部処理手段と遠隔操作で交信できることを特徴とする請求項３５項記載の容器蓋。
【請求項３７】
前記処理手段が外部ソースからの入力に対してプログラム可能であり、かつ読み取り／書き込み能をもつことを特徴とする請求項３５項記載の容器蓋。
【請求項３８】
前記処理手段にユーザーが外部からアクセスできる通信ポートが備えられていることを特徴とする請求項３５項記載の容器蓋。
【請求項３９】
前記処理手段が内容物のリアルタイム状態及び特性を測定できる検知手段へ連結されていることを特徴とする請求項３５項記載の容器蓋。
【請求項４０】
前記検知手段が温度、移動、圧力及び化合物の１または２以上を検知するようになっていることを特徴とする請求項３９項記載の容器蓋。
【請求項４１】
前記密封手段が遠隔操作手段によって取り外し可能であることを特徴とする請求項２９項記載の容器蓋。
【請求項４２】
前記遠隔操作手段に密封位置に対応する位置から容器蓋を容器から取り外しできる位置まで移動するようになった１または２以上の磁気素子が備えられていることを特徴とする請求項４１項記載の容器蓋。
【請求項４３】
前記遠隔操作手段に磁気インダクタンス手段が備えられていることを特徴とする請求項４２項記載の容器蓋。
【請求項４４】
前記密封手段には形状記憶物質が含まれ、かつ前記密封手段が熱、電流あるいは電磁放射処理に対して前記密封位置をとるかあるいは緩むようになっていることを特徴とする請求項２９項記載の容器蓋。
【請求項４５】
前記密封手段に、内側折り部及び外側折り部を有し、かつ容器の注ぎ口の１または複数の内壁部の間の適所に容器蓋を保持するようになっており、さらに緩められると容器蓋の前記１または複数の内壁部からの取り外しを可能とする蛇腹形素子が備えられていることを特徴とする請求項２９項記載の容器蓋。